(57)【要約】      （修正有）【課題】簡便な構成により地中連続壁のために形成された掘削孔を正確かつ効率的に拡径することができる拡径装置を提供する。【解決手段】地中連続壁を形成するための掘削孔を拡径するための拡径装置１であって、掘削孔の短手方向の幅よりも大きい径の拡径孔を回転して形成するリーマー２と、リーマーの上方に取り付けられ、拡径孔に当接しながら摺動するよう形成されたガイド１０と、リーマーの下方に取り付けられ、長手方向の幅が拡径孔の径よりも大きく形成されると共に、短手方向が掘削孔の短手方向に当接しながら摺動するよう形成されたバケット２０と、を備えることを特徴とする拡径装置である。【選択図】図１
2020133319.tif 000002
【特許請求の範囲】
【請求項１】
地中連続壁を形成するための掘削孔を拡径するための拡径装置であって、
前記掘削孔の短手方向の幅よりも大きい径の拡径孔を回転して形成するリーマーと、
前記リーマーの上方に取り付けられ、前記拡径孔に当接しながら摺動するよう形成されたガイドと、
前記リーマーの下方に取り付けられ、長手方向の幅が前記拡径孔の径よりも大きく形成されると共に、短手方向が前記掘削孔の短手方向に当接しながら摺動するよう形成されたバケットと、を備えることを特徴とする、
拡径装置。
【請求項２】
前記バケットは、底部に開閉自在に設けられた蓋部を備えることを特徴とする、
請求項１に記載の拡径装置。
【請求項３】
前記ガイドは、前記拡径孔に当接するよう円筒状に形成された本体部を備えることを特徴とする、
請求項１または２に記載の拡径装置。
【請求項４】
地中連続壁を形成するための掘削孔を拡径するための拡径方法であって、
リーマーを回転させて前記掘削孔の短手方向の幅よりも大きい径の拡径孔を形成する工程と、
前記リーマーの上方に取り付けられたガイドを、前記拡径孔に当接させながら前記リーマーに連動して摺動させる工程と、
前記リーマーの下方に取り付けられ、長手方向の幅が前記拡径孔の径よりも大きく形成されたバケットを、前記バケットの短手方向が前記掘削孔の短手方向に当接するように前記リーマーに連動して摺動させる工程と、を備えることを特徴とする、
拡径方法。
【発明の詳細な説明】
【技術分野】
【０００１】
本発明は、地中連続壁の掘削孔に拡径した孔を形成する拡径装置及び拡径方法に関する。
【背景技術】
【０００２】
地中に壁用の空間となる掘削孔を形成した後、鉄筋コンクリートで地中連続壁（以下、連壁と記す）を形成する場合がある（例えば特許文献１参照）。連壁は、鉄筋コンクリート造で構築されるため剛性が高いこと、側面の面積が杭などに比べ大きく確保しやすいことから、地震時等に基礎に大きな引抜き力が作用する高層建物や近接構造物の変位制限が厳しい建物の壁杭など本設の基礎として利用される。連壁は、通常の杭に比して施工費が比較的高くなるため壁厚は必要最小限の幅に収めて形成されることが望ましい。
【先行技術文献】
【特許文献】
【０００３】
【特許文献１】特開２００４−０４４０８３号公報
【発明の概要】
【発明が解決しようとする課題】
【０００４】
高層建物などの建設現場においては、連壁を形成した後、地下１階側から掘り下げて床面を地階ごとに順次形成して地下空間を形成する逆打ち工法が用いられる場合がある。逆打ち工法において、順次形成される床面を支持するために連壁の中に所定間隔で複数の構真柱が予め形成される。逆打ち工法で用いられる構真柱は軸力が大きいため、構真柱の径方向の寸法が連壁の厚さよりも大きく形成される。そのため、連壁の掘削孔において構真柱が設けられる位置では掘削孔の幅を厚く形成する必要がある。
【０００５】
図５に示されるように、鉄骨で形成された構真柱Ｔの径方向の幅に合わせて掘削孔Ｈの幅Ｗ１を拡幅した幅Ｗ２の掘削孔を形成することは、費用が非常に大きくなるという問題がある。また、建物の荷重による大きな軸力に抵抗するためには壁杭の底面積だけでは支持力が不足するので、連壁の深さ方向の長さを長く形成する必要がある。
【０００６】
上記の問題を回避するため、図６及び図７に示されるように、拡底杭の工法を併用して底面積を大きくする工法も提案されている。しかし、径の大きな拡底底面Ｚを形成するためには拡底掘削機Ｄの径も大きくなるため、拡底掘削機Ｄを挿入するために掘削孔Ｈの幅Ｗ１を拡幅した幅Ｗ２の掘削孔を形成する必要がある。
【０００７】
図８及び図９に示されるように、連壁の掘削孔Ｈの幅Ｗ１を大きくせずに、構真柱Ｔの設置や径の大きな拡底掘削機を挿入する方法として、構真柱Ｔの入る部分だけ連壁用の掘削機を用いてＴ形の掘削孔を構築する方法が提案されている。しかし、構真柱Ｔの入るＴ形の掘削孔の必要幅Ｗ２は、一般の連壁用の掘削機の１ガット幅Ｗ３（例えば、３．２ｍ）よりも小さい場合が多いことから、連壁用の掘削機で掘削すると必要面積より大きな掘削を行う必要があり、掘削の手間が増えるという課題がある。また、このような工法を用いて連壁の厚さを構真柱Ｔに合わせて形成すると、掘削量が大きくなり、コストが増加するという課題がある。
【０００８】
図１０から図１２に示されるように、場所打ち拡底杭で利用されているリーマー付きのアースドリル用のバケットＢを利用して、掘削孔Ｈに円形の孔Ｃを拡径することも提案されている。しかし、この場合も掘削孔Ｈの幅Ｗ１に収まるバケットＢではリーマーによる掘削土Ｍは大半がバケットＢの外の掘削孔Ｈに落ちるという問題点がある。掘削土は孔内を落下する際に泥土化し安定液中に浮遊して沈降に時間がかかり回収が難しくなる。
【０００９】
このため、上記方法によれば、リバースサーキュレーション用のサクションポンプＰなどをアースドリル用のバケットＢの両側に設置する必要があるなど、手間を要する。また、壁心方向のバケットの拘束ができないため、掘削中にバケットＢが移動し、鉛直方向の孔の拡幅の精度が確保できないという課題がある。
【００１０】
本発明は、上述した課題に鑑みてなされたものであり、簡便な構成により地中連続壁のために形成された掘削孔を正確かつ効率的に拡径することができる拡径装置を提供することを目的とする。
【課題を解決するための手段】
【００１１】
上記の目的を達するために、本発明は、地中連続壁を形成するための掘削孔を拡径するための拡径装置であって、前記掘削孔の短手方向の幅よりも大きい径の拡径孔を回転して形成するリーマーと、前記リーマーの上方に取り付けられ、前記拡径孔に当接しながら摺動するよう形成されたガイドと、前記リーマーの下方に取り付けられ、長手方向の幅が前記拡径孔の径よりも大きく形成されると共に、短手方向が前記掘削孔の短手方向に当接しながら摺動するよう形成されたバケットと、を備えることを特徴とする拡径装置である。
【００１２】
本発明によれば、地中連続壁を形成するための掘削孔をリーマーで拡径して拡径孔を掘削する際に、拡径孔に当接するように形成されたガイドがリーマーの横方向への移動を規制し、リーマーの鉛直方向の移動を安定させることができる。そして、リーマーが掘削して排出される掘削土をリーマーの下方に設けられたバケットが受け止めるため掘削土の回収が容易となる。
【００１３】
また、本発明は、前記バケットが底部に開閉自在に設けられた蓋部を備えるように構成されていてもよい。
【００１４】
本発明によれば、バケット内が掘削土で満たされた際に蓋部を開けることにより、掘削土が自重でバケット外に落下するため、掘削土の回収作業を容易化することができる。
【００１５】
また、本発明は、前記ガイドが前記拡径孔に当接するよう円筒状に形成された本体部を備えるように構成されていてもよい。
【００１６】
本発明によれば、リーマーが形成した拡径孔に円筒状に形成されたガイドが当接し、リーマーが横方向にずれることを防止し、リーマーの鉛直方向の動作を安定化させ、正確な拡径孔を形成することができる。
【００１７】
また、本発明は、地中連続壁を形成するための掘削孔を拡径するための拡径方法であって、リーマーを回転させて前記掘削孔の短手方向の幅よりも大きい径の拡径孔を形成する工程と、前記リーマーの上方に取り付けられたガイドを前記拡径孔に当接させながら前記リーマーと共に摺動させる工程と、前記リーマーの下方に取り付けられ、長手方向の幅が前記拡径孔の径よりも大きく形成されたバケットを、前記バケットの短手方向が前記掘削孔の短手方向に当接するように前記リーマーと共に摺動させる工程と、を備えることを特徴とする拡径方法である。
【００１８】
本発明によれば、地中連続壁を形成するための掘削孔をリーマーで拡径して拡径孔を掘削する際に、ガイドが拡径孔に当接してリーマーの横方向への移動を規制しつつ、リーマーと共に摺動するため、リーマーの鉛直方向の移動を安定させることができる。そして、リーマーの下方に設けられたバケットが、リーマーにより掘削されて排出される掘削土を受け止めるため掘削土の回収が容易となる。
【発明の効果】
【００１９】
本発明によれば簡便な構成により地中連続壁のために形成された掘削孔を正確かつ効率的に拡径することができる。
【図面の簡単な説明】
【００２０】
【図１】本発明の拡径装置の構成を示す斜視図である。
【図２】拡径装置により連続壁用の掘削孔を拡径する状態を示す平面図である。
【図３】拡径装置により連続壁用の掘削孔を拡径する状態を示す正面方向の断面図である。
【図４】拡径装置により連続壁用の掘削孔を拡径する状態を示す側面方向の断面図である。
【図５】比較例における、構真柱を挿入するために連続壁用の掘削孔の幅を広げる工法を示す平面図である。
【図６】比較例における、拡底杭の工法を利用して連続壁用の掘削孔の幅を広げる工法を示す平面図である。
【図７】比較例における、拡底杭の工法を利用して連続壁用の掘削孔の幅を広げる工法を示す側面方向の断面図である。
【図８】比較例における、連続壁用の掘削機を利用して続壁用の掘削孔をＴ形断面に拡径する工法を示す平面図である。
【図９】比較例における、連続壁用の掘削機を利用して続壁用の掘削孔をＴ形断面に拡径する工法を示す正面方向の断面図である。
【図１０】比較例における、リーマー付きのアースドリル用のバケットを利用して、掘削孔を拡径する工法を示す平面図である。
【図１１】比較例における、リーマー付きのアースドリル用のバケットを利用して、掘削孔を拡径する工法を示す正面方向の断面図である。
【図１２】比較例における、リーマー付きのアースドリル用のバケットを利用して、掘削孔を拡径する工法を示す側面方向の断面図である。
【発明を実施するための形態】
【００２１】
以下、図面を参照しつつ、本発明の拡径装置及び拡径方法の実施形態の実施形態について説明する。拡径装置は、地中に形成された連壁用に形成された掘削孔を拡径するための装置である。拡径装置は、例えば、一般的なアースドリル機等の装置に取り付けられて使用される。
【００２２】
図１に示されるように、拡径装置１は、掘削孔Ｈ（図２参照）を拡径するためのリーマー２と、リーマー２の掘削方向をガイドするガイド１０と、リーマー２の掘削土を回収するバケット２０とを備える。
【００２３】
リーマー２は、回転軸Ｓ（図３参照）に取り付けられるハブ３を備える。回転軸Ｓは、アースドリル機等により回転駆動される。ハブ３は、鉛直方向の軸線Ｌに沿って円柱状に形成されている。ハブ３は、平面視で中心部において、軸線Ｌに沿って矩形の貫通孔３Ａが形成されている。貫通孔３Ａには、回転軸Ｓの先端部が嵌合する。ハブ３の側面部には、軸線Ｌと直交する水平方向に突出した一対の回転刃４が設けられている。回転刃４は、所定の回転方向に回転し、既設の孔を拡径する。回転刃４は、ブレード状に形成されている。回転刃４の掘削部には、複数のダイヤモンドコーティングされたチップ４Ａが形成されている。
【００２４】
一対の回転刃４は、平面視して回転時の直径が掘削孔Ｈの短手方向の幅よりも大きい径となるように形成されている。この直径は、逆打ち工法で用いられる構真柱が挿入されるサイズに設定されている。回転刃４は、ハブ３に２個設けられているだけでなく、２個以上設けられていてもよい。上記構成により、リーマー２が軸線Ｌ回りに所定方向に回転した場合、掘削孔Ｈの短手方向の幅よりも大きい径で地盤を掘削し、拡径された拡径孔を形成する。
【００２５】
リーマー２の上方には、円筒状に形成されたガイド１０が設けられている。ガイド１０は、平面視でリーマー２と軸線Ｌと同軸に配置されている。ガイド１０は、リーマー２が形成した拡径孔に当接し、リーマー２の回転軸Ｓ（軸線Ｌ）が鉛直方向からずれるのを防止する。ガイド１０により、リーマー２は、鉛直方向に軸線Ｌ方向に沿って拡径孔を掘り進めることができる。ガイド１０は、円筒状に形成された本体部１１と、本体部１１を支持する支持部１４とを備える。
【００２６】
本体部１１は、例えば、金属板を円筒状に丸めて継ぎ目を溶接することで形成される。本体部１１は、リーマー２の掘削方向を安定させるものであれば必ずしも円筒状に形成されていなくてもよい。本体部１１の内部空間には、支持部１４が設けられている。支持部１４は、例えば、回転軸Ｓを支持するハブ１５と、ハブ１５から放射状に水平方向に突出して本体部１１の内側の壁面１１Ａを支持する複数のスポーク１６を備える。
【００２７】
ハブ１５は、円柱状に形成されている。ハブ１５は、平面視で中心部に軸線Ｌに沿って矩形の貫通孔１５Ａが形成されている。貫通孔１５Ａには、上述のリーマー２を回転させる回転軸Ｓが挿通される。回転軸Ｓは、貫通孔１５Ａに嵌合してガイド１０をリーマー２と共に回転させる。ガイド１０は、必ずしも回転軸Ｓにより回転される必要はなく、回転軸Ｓが貫通孔１５Ａで空転するようにしてもよい。
【００２８】
また、ガイド１０は、リーマー２が形成した孔のガイドと機能するのであれば必ずしも円筒状に形成されている必要はない。上記構成により、ガイド１０は、リーマー２が掘削した孔に嵌って鉛直方向に沿ったガイドとなり、リーマー２が横方向にずれることを防止して、鉛直方向に直線的な孔を形成することができる。リーマー２の下方には、バケット２０が設けられている。
【００２９】
バケット２０は、上面に開口部を有する矩形に形成された容器である。バケット２０は、リーマー２が地盤を掘削した際に発生する掘削土を受け止めて回収する。
【００３０】
バケット２０は、平面視して矩形の開口を有する本体部２１と、本体部２１の底部の開口を覆う蓋部２５とを備える。本体部２１は、平面視して矩形の筒状体に形成されている。本体部２１は、長手方向に対向して配置された一対の摺動壁２２と、一対の摺動壁２２に直交するように配置された一対の側板２３とを備える。摺動壁２２は、正面視して矩形の板状体に形成されている。摺動壁２２の水平方向の幅は、リーマー２の回転時の直径よりも大きい幅で形成されている。側板２３は、側面視して矩形の板状体に形成されている。側板２３の水平方向の幅は、側面視して掘削孔Ｈの対向する壁面間の距離よりも若干小さい幅で形成されている。
【００３１】
一対の摺動壁２２は、リーマー２が拡径孔を掘削して下方に移動するのに従って連壁用の掘削孔Ｈの対向する壁面に当接しながら摺動する。一対の摺動壁２２の上端の中央部には、一対の摺動壁２２同士を連結する支持部材２６が設けられている。
【００３２】
支持部材２６は平面視して矩形の板状体に形成されている。支持部材２６の中央部には、ベアリング２６Ｂが嵌め込まれている。ベアリング２６Ｂには、上述の回転軸Ｓの先端部が回転自在に連結される。これにより、バケット２０は、回転軸Ｓに回転自在に吊り下げられる。
【００３３】
本体部２１の底部には、開閉自在な蓋部２５が設けられている。蓋部２５は、矩形の板状体に形成されている。蓋部２５は、長手の一辺が摺動壁２２の下辺にヒンジ機構（不図示）等を用いて回転自在に取り付けられている。蓋部２５は、バケット２０に設けられたロック機構（不図示）等を解除することにより閉状態から自重や積載された掘削土の重量により開状態となる。
【００３４】
上記構成により、バケット２０は、リーマー２が地盤を掘削した際に落下する掘削土をリーマー２の下方で受け止めて回収する。バケット２０の底部の蓋部２５を開放することにより、バケット内部の掘削土は泥土化せず土の状態のまま排出できる。
【００３５】
図２から図４に示されるように、拡径装置１は、既設の掘削孔Ｈの拡径に用いられる。掘削孔Ｈは、連壁を形成するために地盤に設けられた連続した孔である。掘削孔Ｈには、孔壁の崩壊を防止すると共に、溶液中のスライム状物質の沈降を防止するためのベントナイト系の溶液で生成された安定液で満たされている。掘削孔Ｈは、連壁が入るよう所定の幅Ｆ１で一対の壁面Ｈ１，Ｈ２が対向した空間が形成されている。リーマー２は、所定の幅Ｆ１よりも広い幅Ｆ２で拡径孔Ｑを形成する。幅Ｆ２は、構真柱と拡底掘削機が挿入されるように寸法が設定されている。拡径孔Ｑは、掘削孔Ｈを半月形に広げた２つの空間Ｑ１，Ｑ２により形成されている。
【００３６】
掘削孔Ｈを拡径する場合、拡径装置１を対象位置に対して上方から設置する。この際、バケット２０が掘削孔Ｈに先に挿入される。リーマー２が地表面に当接した後、回転軸Ｓを回転駆動させ、リーマー２を所定方向に回転させながら回転軸Ｓを下方に押し込む。そうすると、地盤がリーマー２に掘削される。リーマー２で掘削された掘削土は、大半がバケット２０内に落下する。回転軸Ｓを更に押し込んで拡径孔Ｑを更に深く掘り進ませる。この時、バケット２０は、短手方向が掘削孔Ｈの短手方向に当接しながらリーマーに連動して摺動する。バケット２０に掘削土が満杯となる毎に拡径装置１を引き上げ、ロック機構を解除して蓋部２５を開き、掘削土をバケット２０内から排出する。これにより、掘削土が掘削孔Ｈに落下して安定液中で泥土化して浮遊することが防止される。
【００３７】
掘削孔Ｈを掘り進める際、円筒状に形成されたガイド１０が拡径孔Ｑに当接し、リーマー２に連動して掘削孔Ｈを摺動すると共に、リーマー２の横方向への移動を規制する。即ち、ガイド１０は、リーマー２が横方向にずれることを防止する。掘削孔Ｈを更に掘り進めると、バケット２０が掘削孔Ｈの底に到達する。掘削孔Ｈの底からバケット２０の高さ分は、リーマー２による掘削ができない。そこで、拡径装置１を拡径孔Ｑから引き抜いてリーマー２の径と同じ径のアースドリルバケットを拡径孔Ｑに挿入し、掘削孔Ｈの底まで掘削する。
【００３８】
拡径孔Ｑの拡底掘削をする場合は、アースドリルバケットを拡径孔Ｑから引き抜いて、代わりに拡底掘削機を挿入し拡底掘削を行い、拡底孔を形成する。上記各工程の後、掘削孔Ｈ内に鉄筋コンクリートで連壁を形成する。そして、拡底孔にコンクリートを打設して構真柱を挿入して位置決めし、拡底杭に支持された構真柱を形成する。
【００３９】
上述したように拡径装置１によれば、簡便な構成により地中連続壁のために形成された掘削孔Ｈを正確かつ効率的に拡径することができる。また、拡径装置１によれば、リーマー２の上方に設けられたガイドが拡径孔Ｑに当接してリーマー２の横方向への移動を規制するため、拡径された孔を正確に形成することができる。また、拡径装置１によれば、バケット２０の長手方向の幅がリーマー２の回転時の径よりも大きく形成されているため、リーマー２により掘削された掘削土の大半を回収することができ、施工コストを低減することができる。
【００４０】
また、拡径装置１によれば、バケット２０の短手方向の幅が掘削孔Ｈの幅に合わせて形成されているため、掘削孔Ｈの幅によらずに拡径の大きさを設定することができる。また、拡径装置１によれば、拡径部分の掘削にアースドリル機を用いることで、連壁用の掘削孔Ｈの幅を広げるように拡径を行うより、費用や工期を抑えることができる。
【００４１】
以上、本発明の一実施形態について説明したが、本発明は上記の一実施形態に限定されるものではなく、その趣旨を逸脱しない範囲で適宜変更可能である。
【符号の説明】
【００４２】
１  拡径装置
２  リーマー
３  ハブ
３Ａ  貫通孔
４  回転刃
４Ａ  チップ
１０  ガイド
１１  本体部
１１Ａ  壁面
１４  支持部
１５  ハブ
１５Ａ  貫通孔
１６  スポーク
２０  バケット
２１  本体部
２２  摺動壁
２３  側板
２５  蓋部
２６  支持部材
２６Ｂ  ベアリング
【図１】
2020133319.tif 000003
【図２】
2020133319.tif 000004
【図３】
2020133319.tif 000005
【図４】
2020133319.tif 000006
【図５】
2020133319.tif 000007
【図６】
2020133319.tif 000008
【図７】
2020133319.tif 000009
【図８】
2020133319.tif 000010
【図９】
2020133319.tif 000011
【図１０】
2020133319.tif 000012
【図１１】
2020133319.tif 000013
【図１２】
2020133319.tif 000014